(57)【要約】【課題】  液晶表示装置において、上フレームの開口部周縁付近における光漏れを抑制し、画質向上を図る。【解決手段】液晶表示パネルの第２の基板の液晶層側の面とは反対側の面に設けられた第２の偏光板と、液晶表示パネルの第１の基板の液晶層側の面とは反対側の面に設けられた第１の偏光板と、前記第１の基板の前記液晶層側とは反対側に配置されたバックライトとを備え、前記バックライトは、前記液晶表示パネルを収納する枠状のモールドフレームを有し、前記第１の基板は、前記第２の基板と重畳しない非重畳領域を有し、前記モールドフレームは、前記第１の基板の前記非重畳領域側の辺を除く他の辺側の部分に側壁を有し、前記第２の偏光板における、前記第２の基板の前記非重畳領域側の辺以外の辺の中の少なくとも１辺は、前記第２の基板からその外側に突出し、かつ前記モールドフレームの前記側壁上に接着されている。【選択図】図４
2013068869.tif 000002
【特許請求の範囲】
【請求項１】
第１の基板と、
第２の基板と、
前記第１の基板と前記第２の基板との間に挟持された液晶層とを有する液晶表示パネルと、
前記第２の基板の前記液晶層側の面とは反対側の面に設けられた第２の偏光板と、
前記第１の基板の前記液晶層側の面とは反対側の面に設けられた第１の偏光板と、
前記第１の基板の前記液晶層側とは反対側に配置されたバックライトとを備える液晶表示装置であって、
前記バックライトは、前記液晶表示パネルを収納する枠状のモールドフレームを有し、
前記第１の基板は、前記第２の基板と重畳しない非重畳領域を有し、
前記モールドフレームは、前記第１の基板の前記非重畳領域側の辺を除く他の辺側の部分に側壁を有し、
前記第２の偏光板における、前記第２の基板の前記非重畳領域側の辺以外の辺の中の少なくとも１辺は、前記第２の基板からその外側に突出し、かつ前記モールドフレームの前記側壁上に接着されていることを特徴とする液晶表示装置。
【請求項２】
第１の基板と、
第２の基板と、
前記第１の基板と前記第２の基板との間に挟持された液晶層とを有する液晶表示パネルと、
前記第２の基板の前記液晶層側の面とは反対側の面に設けられた第２の偏光板と、
前記第１の基板の前記液晶層側の面とは反対側の面に設けられた第１の偏光板と、
前記第１の基板の前記液晶層側とは反対側に配置されたバックライトとを備える液晶表示装置であって、
前記バックライトは、前記液晶表示パネルを収納する枠状のモールドフレームを有し、
前記第１の基板は、前記第２の基板と重畳しない非重畳領域を有し、
前記モールドフレームは、前記第１の基板の前記非重畳領域側の辺を除く他の辺側の部分に突出部を有し、
前記第２の偏光板における、前記第２の基板の前記非重畳領域側の辺以外の辺の中の少なくとも１辺は、前記第２の基板からその外側に突出し、かつ前記モールドフレームの前記突出部の前記第２の偏光板側の面に接着されており、
前記第１の偏光板における、前記第２の偏光板の少なくとも前記１辺と対向する辺は、前記第１の基板からその外側に突出し、かつ前記モールドフレームの前記突出部の前記第１の偏光板側の面に接着されていることを特徴とする液晶表示装置。
【請求項３】
第１の基板と、
第２の基板と、
前記第１の基板と前記第２の基板との間に挟持された液晶層とを有する液晶表示パネルと、
前記第２の基板の前記液晶層側の面とは反対側の面に設けられた第２の偏光板と、
前記第１の基板の前記液晶層側の面とは反対側の面に設けられた第１の偏光板と、
前記第１の基板の前記液晶層側とは反対側に配置されたバックライトとを備える液晶表示装置であって、
前記バックライトは、前記液晶表示パネルを収納する枠状のモールドフレームと、
前記枠状のモールドフレームを収納する下フレームとを有し、
前記第１の基板は、前記第２の基板と重畳しない非重畳領域を有し、
前記第２の偏光板における、前記第２の基板の前記非重畳領域側の辺以外の辺の中の少なくとも１辺は、前記第２の基板からその外側に突出し、かつ前記下フレームに接着されていることを特徴とする液晶表示装置。
【請求項４】
第１の基板と、
第２の基板と、
前記第１の基板と前記第２の基板との間に挟持された液晶層とを有する液晶表示パネルと、
前記第２の基板の前記液晶層側の面とは反対側の面に設けられた第２の偏光板と、
前記第１の基板の前記液晶層側の面とは反対側の面に設けられた第１の偏光板と、
前記第１の基板の前記液晶層側とは反対側に配置されたバックライトとを備える液晶表示装置であって、
前記バックライトは、前記液晶表示パネルを収納する枠状のモールドフレームと、
前記枠状のモールドフレームを収納する下フレームとを有し、
前記第１の基板は、前記第２の基板と重畳しない非重畳領域を有し、
前記下フレームは、前記第１の基板の前記非重畳領域側の辺を除く他の辺側の部分に突出部を有し、
前記第２の偏光板における、前記第２の基板の前記非重畳領域側の辺以外の辺の中の少なくとも１辺は、前記第２の基板からその外側に突出し、かつ前記下フレームの前記突出部の前記第２の偏光板側の面に接着されており、
前記第１の偏光板における、前記第２の偏光板の少なくとも前記１辺と対向する辺は、前記第１の基板からその外側に突出し、かつ前記下フレームの前記突出部の前記第１の偏光板側の面に接着されていることを特徴とする液晶表示装置。
【請求項５】
前記第２の偏光板における、前記第２の基板からその外側に突出する突出量は、前記第２の基板の端から０．２ｍｍ以上であることを特徴とする請求項１または請求項３に記載の液晶表示装置。
【請求項６】
前記第２の偏光板の前記少なくとも１辺の表示領域以外の領域には、遮光層が形成されていることを特徴とする請求項１または請求項３に記載の液晶表示装置。
【請求項７】
前記第２の偏光板の前記第２の基板から突出する突出量は、前記第２の基板の端から０．２ｍｍ以上であり、
前記第１の偏光板の前記第１の基板から突出する突出量は、前記第２の基板の端から０．２ｍｍ以上であることを特徴とする請求項２または請求項４に記載の液晶表示装置。
【請求項８】
前記第１の偏光板の少なくとも前記１辺の表示領域以外の領域には、遮光層が形成されており、
前記第２の偏光板の少なくとも前記１辺の表示領域以外の領域には、遮光層が形成されていることを特徴とする請求項２または請求項４に記載の液晶表示装置。
【請求項９】
開口部を有し、かつ前記第２の基板の周縁を覆う上フレームを備えることを特徴とする請求項１ないし請求項４のいずれか１項に記載の液晶表示装置。
【発明の詳細な説明】
【技術分野】
【０００１】
本発明は、液晶表示装置に係り、特に、偏光板を有する液晶表示装置に適用して有効な技術に関するものである。
【背景技術】
【０００２】
ＴＦＴ（Thin Film Transistor）方式の液晶表示装置は、例えば、携帯電話機などの携帯機器の表示部として広く使用されている。この種の液晶表示装置においては、液晶表示パネル、液晶表示パネルの観察者側の面とは反対側に配置されたバックライト、液晶表示パネルに接続されたフレキシブル配線基板等を備えており、液晶表示パネルの観察者側の面（主面）、及び観察者側の面とは反対側の面（裏面）の各々には偏光板が貼り付けられている。液晶表示パネルは、第１の基板と第２の基板との間に液晶（液晶層）を挟持した構成になっている。なお、液晶表示パネルの観察者側の面に偏光板が貼り付けられた液晶表示装置については、以下の特許文献１に開示されている。
【先行技術文献】
【特許文献】
【０００３】
【特許文献１】特開２００９−２１６７５３号公報
【発明の概要】
【発明が解決しようとする課題】
【０００４】
液晶表示装置において、液晶表示パネルの表示領域以外（表示領域を囲う周辺領域）の部分から光が漏れて見える現象は、画質の品位を下げる問題の一つである。一般的な例として、上フレームの窓枠から光が漏れて見える現象がある。これはバックライトのＬＥＤ光源から発せられた光が、液晶表示パネルの内部や側面、更にはモールドフレームの壁面に対して乱反射を繰り返し、上フレームの開口部周縁付近（液晶表示パネルの表示領域を囲う周辺領域）から外部へ光が抜けて見えるものである。この光漏れの問題に対して、様々な遮光対策が実施されている。
そこで、本発明者は、この光漏れ現象を遮光する方法として、バックライトのＬＥＤ光源から発せられる光の経路に着目し、本発明を成した。
本発明は、前記従来技術の問題点を解決するためになされたものであり、本発明の目的は、液晶表示装置において、上フレームの開口部周縁付近からの光漏れを抑制し、画質の向上を図ることが可能な技術を提供することにある。
本発明の前記並びにその他の目的と新規な特徴は、本明細書の記述及び添付図面によって明らかにする。
【課題を解決するための手段】
【０００５】
本願において開示される発明のうち、代表的なものの概要を簡単に説明すれば、下記のとおりである。
（１）第１の基板と、第２の基板と、前記第１の基板と前記第２の基板との間に挟持された液晶層とを有する液晶表示パネルと、前記第２の基板の前記液晶層側の面とは反対側の面に設けられた第２の偏光板と、前記第１の基板の前記液晶層側の面とは反対側の面に設けられた第１の偏光板と、前記第１の基板の前記液晶層側とは反対側に配置されたバックライトとを備える液晶表示装置であって、前記バックライトは、前記液晶表示パネルを収納する枠状のモールドフレームを有し、前記第１の基板は、前記第２の基板と重畳しない非重畳領域を有し、前記モールドフレームは、前記第１の基板の前記非重畳領域側の辺を除く他の辺側の部分に側壁を有し、前記第２の偏光板における、前記第２の基板の前記非重畳領域側の辺以外の辺の中の少なくとも１辺は、前記第２の基板からその外側に突出し、かつ前記モールドフレームの前記側壁上に接着されている。
【０００６】
（２）第１の基板と、第２の基板と、前記第１の基板と前記第２の基板との間に挟持された液晶層とを有する液晶表示パネルと、前記第２の基板の前記液晶層側の面とは反対側の面に設けられた第２の偏光板と、前記第１の基板の前記液晶層側の面とは反対側の面に設けられた第１の偏光板と、前記第１の基板の前記液晶層側とは反対側に配置されたバックライトとを備える液晶表示装置であって、前記バックライトは、前記液晶表示パネルを収納する枠状のモールドフレームを有し、前記第１の基板は、前記第２の基板と重畳しない非重畳領域を有し、前記モールドフレームは、前記第１の基板の前記非重畳領域側の辺を除く他の辺側の部分に突出部を有し、前記第２の偏光板における、前記第２の基板の前記非重畳領域側の辺以外の辺の中の少なくとも１辺は、前記第２の基板からその外側に突出し、かつ前記モールドフレームの前記突出部の前記第２の偏光板側の面に接着されており、前記第１の偏光板における、前記第２の偏光板の少なくとも前記１辺と対向する辺は、前記第１の基板からその外側に突出し、かつ前記モールドフレームの前記突出部の前記第１の偏光板側の面に接着されている。
【０００７】
（３）第１の基板と、第２の基板と、前記第１の基板と前記第２の基板との間に挟持された液晶層とを有する液晶表示パネルと、前記第２の基板の前記液晶層側の面とは反対側の面に設けられた第２の偏光板と、前記第１の基板の前記液晶層側の面とは反対側の面に設けられた第１の偏光板と、前記第１の基板の前記液晶層側とは反対側に配置されたバックライトとを備える液晶表示装置であって、前記バックライトは、前記液晶表示パネルを収納する枠状のモールドフレームと、前記枠状のモールドフレームを収納する下フレームとを有し、前記第１の基板は、前記第２の基板と重畳しない非重畳領域を有し、前記第２の偏光板における、前記第２の基板の前記非重畳領域側の辺以外の辺の中の少なくとも１辺は、前記第２の基板からその外側に突出し、かつ前記下フレームに接着されている。
【０００８】
（４）第１の基板と、第２の基板と、前記第１の基板と前記第２の基板との間に挟持された液晶層とを有する液晶表示パネルと、前記第２の基板の前記液晶層側の面とは反対側の面に設けられた第２の偏光板と、前記第１の基板の前記液晶層側の面とは反対側の面に設けられた第１の偏光板と、前記第１の基板の前記液晶層側とは反対側に配置されたバックライトとを備える液晶表示装置であって、前記バックライトは、前記液晶表示パネルを収納する枠状のモールドフレームと、前記枠状のモールドフレームを収納する下フレームとを有し、前記第１の基板は、前記第２の基板と重畳しない非重畳領域を有し、前記下フレームは、前記第１の基板の前記非重畳領域側の辺を除く他の辺側の部分に突出部を有し、前記第２の偏光板における、前記第２の基板の前記非重畳領域側の辺以外の辺の中の少なくとも１辺は、前記第２の基板からその外側に突出し、かつ前記下フレームの前記突出部の前記第２の偏光板側の面に接着されており、前記第１の偏光板における、前記第２の偏光板の少なくとも前記１辺と対向する辺は、前記第１の基板からその外側に突出し、かつ前記下フレームの前記突出部の前記第１の偏光板側の面に接着されている。
【発明の効果】
【０００９】
本願において開示される発明のうち代表的なものによって得られる効果を簡単に説明すれば、下記のとおりである。
本発明によれば、液晶表示装置において、上フレームの開口部周縁付近からの光漏れを抑制し、画質の向上を図ることが可能となる。
【図面の簡単な説明】
【００１０】
【図１】本発明の実施例１である液晶表示装置の概略構成を示す分解斜視図である。
【図２】図１の液晶表示装置の平面図である。
【図３】図２において上フレームを省略して示す平面図である。
【図４】図２のＡ−Ａ’線に沿った断面構造を示す断面図である。
【図５】本発明の実施例２である液晶表示装置において、図２のＡ−Ａ’線に沿った断面構造を示す断面図である。
【図６】本発明の実施例３である液晶表示装置において、図２のＡ−Ａ’線に沿った断面構造を示す断面図である。
【図７】本発明の実施例４である液晶表示装置において、図２のＡ−Ａ’線に沿った断面構造を示す断面図である。
【図８】従来の液晶表示装置の概略構成を示す平面図である。
【図９】図８のＢ−Ｂ’線に沿った断面構造を示す断面図である。
【発明を実施するための形態】
【００１１】
以下、図面を参照して本発明の実施例を詳細に説明する。
なお、発明の実施例を説明するための全図において、同一機能を有するものは同一符号を付け、その繰り返しの説明は省略する。また、以下の実施例は、本発明の特許請求の範囲の解釈を限定するためのものではない。
［実施例１］
図１乃至図４は、本発明の実施例１である液晶表示装置に係る図であり、
図１は、液晶表示装置の概略構成を示す分解斜視図、
図２は、図１の液晶表示装置の平面図、
図３は、図２において上フレームを省略して示す平面図、
図４は、図２のＡ−Ａ’線に沿った断面構造を示す断面図である。
本実施例の液晶表示装置は、図１乃至図４に示すように、液晶表示パネルＬＣＤと、この液晶表示パネルＬＣＤを駆動制御する回路が搭載された半導体チップＤＲＶと、液晶表示パネルＬＣＤに接続されるフレキシブル配線基板ＦＰＣと、液晶表示パネルＬＣＤの観察者側とは反対側に配置されるバックライトＢ／Ｌとを備えている。更に、本実施例１の液晶表示装置は、例えば金属製の上フレーム２０及び下フレーム１６を備えている。
【００１２】
液晶表示パネルＬＣＤは、画素電極、薄膜トランジスタ等が形成され、かつ平面が矩形状に形成された第１の基板３（以下、ＴＦＴ基板と言う）と、カラーフィルタ等が形成され、かつ平面がＴＦＴ基板３よりも小さいサイズで矩形状に形成された第２の基板２（以下、ＣＦ基板と言う）とを、所定の間隙を隔てて重ね合わせ、該両基板間の周縁部近傍に枠状に設けたシール材（図示せず）により、両基板を貼り合わせると共に、シール材の一部に設けた液晶封入口から両基板間のシール材の内側に液晶（図示せず）を封入、封止し、さらに、両基板の外側に偏光板（１，４）を貼り付けて構成される。
液晶表示パネルＬＣＤは、表示領域５ａ（図２及び図３参照）と、表示領域５ａを囲うようにして配置された周辺領域５ｂ（図４参照）を有し、表示領域５ａには、複数の画素がマトリクス状に配置されており、複数の画素の各々は、画素電極及び対向電極を有している。ＴＦＴ基板３の液晶層側の面とは反対側の面には下側偏光板４、ＣＦ基板２の液晶層側の面とは反対側の面には上側偏光板１がそれぞれ貼り付けられている。
ＴＦＴ基板３及びＣＦ基板２としては、例えば透明なガラス基板が用いられている。シール材としては、熱硬化型エポキシ樹脂材が用いられている。
【００１３】
本実施例の液晶表示パネルＬＣＤは、ＩＰＳ（In Plane Switching）方式の液晶表示パネルであり、このＩＰＳ方式の場合、対向電極は画素電極と共にＴＦＴ基板３側に設けられるが、ＴＮ方式やＶＡ方式の液晶表示パネルの場合、対向電極は画素電極とは異なってＣＦ基板２側に設けられる。
ＴＦＴ基板３は、ＣＦ基板２と重畳しない非重畳領域３ｍを有している。本実施例において、ＴＦＴ基板３は、その長辺がＣＦ基板２の長辺よりも長く形成され、その一方の短辺側に非重畳領域３ｍを有している。ＴＦＴ基板３の非重畳領域２ｍには、半導体チップＤＲＶが実装されている。また、ＴＦＴ基板３の非重畳領域３ｍには、フレシキブル配線基板ＦＰＣが電気的にかつ機械的に接続されている。
バックライトＢ／Ｌは、液晶表示パネルＬＣＤを収納する枠状のモールドフレーム６を有し、図１に示すように、モールドフレーム６内に導光板１０が配置され、この導光板１０上に光学シート群１１が配置される。また、導光板１０の下側には反射シート９が配置されている。さらに、モールドフレーム６の下側には下フレーム１６が配置されている。
光学シート群１１は、例えば、下拡散シート、２枚のレンズシート、及び上拡散シートから構成されている。導光板１０の一側面には、光源として機能する白色発光ダイオードＬＤが配置されている。
【００１４】
図１に示すように、モールドフレーム６は、液晶表示パネルＬＣＤを収納する収納部６Ｂと、この収納部６Ｂを囲うようにして配置された側壁６Ａとを有している。また、モールドフレーム６の側壁６Ａのうち、ＴＦＴ基板３の非重畳領域３ｍ側の一辺に平行な側壁６Ａの一部には、高さの低い領域６Ｃが設けられている。モールドフレーム６としては、例えば樹脂製のモールドフレームが用いられている。
図１に示すように、下フレーム１６は、底面１６Ｂと、この底面１６Ｂの周囲に配置された側壁１６Ａと、底面１６Ｂ及び側壁１６Ａで構成される収納部とを有し、この収納部に、液晶表示パネルＬＣＤ、バックライトＢ／Ｌ等が収納されている。また、下フレーム１６の底面１６Ｂには、開口部１６Ｄが形成されている。
上フレーム２０は、液晶表示パネルＬＣＤの表示領域５ａと対向する領域に開口部２０Ｃと、この開口部２０Ｃの周囲に配置された側壁２０Ａとを有し、かつ液晶表示パネルＬＣＤのＣＦ基板２の周縁、換言すれば、ＣＦ基板２の周縁を覆うように形成されている。
ここで、下フレーム１６の側壁１６Ａのうち、ＴＦＴ基板３の非重畳領域３ｍ側の一辺に平行な側壁１６Ａは、その両端にのみ形成され、この両端の間の中央部分であってフレキシブル配線基板ＦＰＣの折り曲げ部に対応する部分１６Ｃには形成されない。
同様に、上フレーム２０の側壁２０Ａのうち、ＴＦＴ基板３の非重畳領域３ｍ側の一辺に平行な側壁２０Ａは、その両端にのみ形成され、この両端の間の中央部分であってフレキシブル配線基板ＦＰＣの折り曲げ部に対応する部分２０Ｂには形成されない。
このように構成することにより、フレキシブル配線基板ＦＰＣを折り曲げるときに、フレキシブル配線基板ＦＰＣが下フレーム１６の側壁１６Ａと上フレーム２０の側壁２０Ａに当接し、フレキシブル配線基板ＦＰＣが鋭角に折り曲がるのを防ぎ、フレキシブル配線基板ＦＰＣの配線が断線するのを防止している。
【００１５】
図３及び図４に示すように、本実施例では、上側偏光板１の４つの辺（１ａ，１ｂ，１ｃ，１ｄ）のうち、ＴＦＴ基板３の非重畳領域３ｍ側の辺１ａ以外の３つの辺（１ｂ，１ｃ，１ｄ）がＣＦ基板２からその外側に突出し、かつモールドフレーム６の側壁６Ａの上面に接着されている。
また、本実施例において、下側偏光板４は、その４つの辺がＴＦＴ基板３の周縁（外形辺）よりも内側に位置している。
なお、本実施例では、上側偏光板１の４つの辺（１ａ，１ｂ，１ｃ，１ｄ）のうち、ＴＦＴ基板３の非重畳領域３ｍ側の辺１ａ以外の３つの辺（１ｂ，１ｃ，１ｄ）がＣＦ基板２からその外側に突出し、かつモールドフレーム６の側壁６Ａの上面に接着された構造について説明しているが、上側偏光板１は、その４つの辺（１ａ，１ｂ，１ｃ，１ｄ）のうち、ＴＦＴ基板３の非重畳領域３ｍ側の辺１ａ以外の辺の中の少なくとも１辺がＣＦ基板２からその外側に突出し、かつモールドフレーム６の側壁６Ａの上面に接着されていればよい。
図４に示すように、液晶表示パネルＬＣＤの周辺領域５ｂには、遮光機能を有する遮光膜ＢＭが配置されている。この遮光膜ＢＭは、液晶表示パネルＬＣＤの表示領域５ａを囲うようにしてＣＦ基板２の液晶層側の面に形成されている。
【００１６】
ここで、従来技術の問題点と、本実施例の特徴について説明する。
［従来技術の問題点］
図８は、従来の液晶表示装置の概略構成を示す平面図、
図９は、図８のＢ−Ｂ’線に沿った断面構造を示す断面図である。
従来の液晶表示装置は、図８及び図９に示すように、上側偏光板１の４つの辺の全てがＣＦ基板２の周縁（外形辺）よりも内側に位置し、液晶表示パネルＬＣＤの周辺部とモールドフレーム６とが遮光両面テープ２１で固定された構造になっており、これ以外の構造は本実施例１の液晶表示装置とほぼ同様である。
液晶表示装置において、液晶表示パネルの表示領域以外（表示領域を囲う周辺領域）の部分から光が漏れて見える現象は、画質の品位を下げる問題の一つである。一般的な例として、上フレームの窓枠から光が漏れて見える現象がある。これは、バックライトのＬＥＤ光源から発せられた光が、液晶表示パネルの内部や側面、更にはモールドフレーム６の壁面に対して乱反射を繰り返し、上フレームの開口部周縁付近（液晶表示パネルの表示領域を囲う周辺領域）から外部へ光が抜けて見えるものである。
図９に、発光ダイオードから発せられた光が外部へと抜け出てくる経路の一例を示している。具体的には、導光板１０から入光された光がＴＦＴ基板３内を屈折し、液晶表示パネルＬＣＤの遮光膜ＢＭの無い箇所の側面やモールドフレーム６の壁面を反射して液晶表示装置の外部へ光が漏れる例である。
【００１７】
［本実施例の特徴］
これに対し、本実施例の液晶表示装置は、上側偏光板１の４つの辺（１ａ，１ｂ，１ｃ，１ｄ）のうち、ＴＦＴ基板３の非重畳領域３ｍ側の辺１ａ以外の３つの辺（１ｂ，１ｃ，１ｄ）がＣＦ基板２からその外側に突出し、かつモールドフレーム６の側壁６Ａの上面に接着された構造になっている。
このような構造とすることにより、図９に示す光の経路を遮光することができるため、バックライトのＬＥＤ光源から発せられた光が、液晶表示パネルの内部や側面、更にはモールドフレーム６の壁面に対して乱反射を繰り返し、上フレームの開口部周縁付近（液晶表示パネルの表示領域を囲う周辺領域）から外部へ光が抜けて見える現象（上フレームの開口部周縁付近における光漏れ）を抑制することができ、画質向上を図ることができる。
また、上側偏光板１を利用することで、新規に遮光部材の追加が不要であるため、低コストで、上フレームの開口部周縁付近における光漏れを抑制することができる。
また、上側偏光板１を液晶表示パネルＬＣＤの固定に利用することで、従来固定に用いていた遮光両面テープ２１（図９参照）を省略することができ、液晶表示パネルＬＣＤへ直接ふれる領域（接着部）が無くなるため、筐体から発生する応力が液晶表示パネルＬＣＤの基板（ＣＦ基板２，ＴＦＴ基板３）へ伝わる度合いを抑制できる。例えば、応力起因により液晶配向が乱れて発生する画面表示異状や、落下等による外部からの衝撃・振動を液晶表示パネルの基板（ＣＦ基板２，ＴＦＴ基板３）に直接伝わることを回避できるため、液晶表示装置として機械的強度の向上（基板割れ防止）を図ることができる。
モールドフレーム６の壁面６Ａに上側偏光板１を安定して接着固定させるためには、モールドフレーム６の側壁６Ａと液晶表示パネルＬＣＤとのクリアランスを考慮して、ＣＦ基板２の端から上側偏光板１が突出する突出量を設定する必要がある。本発明者の検討によれば、上側偏光板１のＣＦ基板２から突出する突出量がＣＦ基板２の端から０．２ｍｍ以上であればモールドフレーム６の側壁６Ａに上側偏光板１を安定して接着固定することができる。
【００１８】
［実施例２］
図５は、本発明の実施例２である液晶表示装置において、図２のＡ−Ａ’線に沿った断面構造を示す断面図である。
前述の実施例１では、ＣＦ基板２からその外側に上側偏光板１を突出させ、その突出部分をモールドフレーム６に接着させた構造について説明したが、本実施例２の液晶表示装置は、ＣＦ基板２からその外側に上側偏光板１を突出させると共にＴＦＴ基板３からその外側に下側偏光板４も突出させ、これら偏光板の突出部分をモールドフレーム６に接着させた構造になっている。
具体的には、図５に示すように、モールドフレーム６は、ＴＦＴ基板３の非重畳領域３ｍ側の辺を除く他の辺側の部分に突出部６Ａ１を有している。
また、上側偏光板１は、前述の実施例１と同様に、その４つの辺（１ａ，１ｂ，１ｃ，１ｄ）のうち、ＴＦＴ基板３の非重畳領域３ｍ側の辺１ａ以外の３つの辺（１ｂ，１ｃ，１ｄ）がＣＦ基板２からその外側に突出し、かつモールドフレーム６の突出部６Ａ１の上側偏光板１側の面に接着されている。
さらに、下側偏光板４も、上側偏光板１と同様に、その４つの辺のうち、ＴＦＴ基板３の非重畳領域３ｍ側の辺以外の３つの辺がＴＦＴ基板３からその外側に突出し、かつモールドフレーム６の突出部６Ａ１の下側偏光板４側の面に接着されている。
前述の実施例では、原理的に、バックライトのＬＥＤ光源から発せられた光の中で、ｐ波あるいはｓ波の一方のみしか遮光できないが、本実施例では、バックライトのＬＥＤ光源から発せられた光の中で、ｐ波およびｓ波の両方を遮光できるので、遮光効果を向上させることが可能となる。
【００１９】
このように、本実施例では、ＣＦ基板２からその外側に上側偏光板１を突出させると共にＴＦＴ基板３からその外側に下側偏光板４も突出させ、これら偏光板の突出部分をモールドフレーム６の突出部６Ａ１に接着させた構造とすることにより、さらなる遮光の対策効果が低コストで得られる。
なお、本実施例でも、上側偏光板１は、その４つの辺（１ａ，１ｂ，１ｃ，１ｄ）のうち、ＴＦＴ基板３の非重畳領域３ｍ側の辺１ａ以外の辺の中の少なくとも１つの辺がＣＦ基板２からその外側に突出し、かつモールドフレーム６の突出部６Ａ１の上側偏光板１側の面に接着されていればよい。
同様に、下側偏光板４も、その４つの辺のうち、ＴＦＴ基板３の非重畳領域３ｍ側の辺以外の辺の中の少なくとも１つの辺がＴＦＴ基板３からその外側に突出し、かつモールドフレーム６の突出部６Ａ１の下側偏光板３側の面に接着されていればよい。
なお、本実施例においても、上側偏光板１のＣＦ基板２から突出する突出量がＣＦ基板２の端から０．２ｍｍ以上、下側偏光板４のＴＦＴ基板３から突出する突出量がＴＦＴ基板３の端から０．２ｍｍ以上であればモールドフレーム６の突出部６Ａ１に上側偏光板１及び下側偏光板４を安定して接着固定することができる。
【００２０】
［実施例３］
図６は、本発明の実施例３である液晶表示装置において、図２のＡ−Ａ’線に沿った断面構造を示す断面図である。
前述の実施例２では、ＣＦ基板２からその外側に上側偏光板１を突出させると共にＴＦＴ基板３からその外側に下側偏光板４を突出させ、これら偏光板の突出部分をモールドフレーム６に接着させた構造について説明したが、本実施例３の液晶表示装置は、下フレーム１６に上側偏光板１及び下側偏光板４を接着させた構造になっている。
具体的には、図６に示すように、下フレーム１６は、ＴＦＴ基板３の非重畳領域３ｍ側の辺を除く他の辺側の部分に突出部１６Ａ１を有している。
また、上側偏光板１は、前述の実施例１と同様に、その４つの辺（１ａ，１ｂ，１ｃ，１ｄ）のうち、ＴＦＴ基板３の非重畳領域３ｍ側の辺１ａ以外の３つの辺（１ｂ，１ｃ，１ｄ）がＣＦ基板２からその外側に突出し、かつ下フレーム１６の突出部１６Ａ１の上側偏光板１側の面に接着されている。
また、下側偏光板４も、上側偏光板１と同様に、その４つの辺のうち、ＴＦＴ基板３の非重畳領域３ｍ側の辺以外の３つの辺がＴＦＴ基板３からその外側に突出し、かつ下フレーム１６の突出部１６Ａ１の下側偏光板４側の面に接着されている。
このように、ＣＦ基板２からその外側に上側偏光板１を突出させると共にＴＦＴ基板３からその外側に下側偏光板４も突出させ、これら偏光板の突出部分を下フレーム１６の突出部１６Ａ１に接着させた構造とすることにより、本実施例３においても前述の実施例２と同様の効果が得られる。
【００２１】
なお、本実施例でも、上側偏光板１は、その４つの辺（１ａ，１ｂ，１ｃ，１ｄ）のうち、ＴＦＴ基板３の非重畳領域３ｍ側の辺１ａ以外の辺の中の少なくとも１つの辺がＣＦ基板２からその外側に突出し、かつ下フレーム１６の突出部１６Ａ１の上側偏光板１側の面に接着されていればよい。
同様に、下側偏光板４も、その４つの辺のうち、ＴＦＴ基板３の非重畳領域３ｍ側の辺以外の辺の中の少なくとも１つの辺がＴＦＴ基板３からその外側に突出し、かつ下フレーム１６の突出部１６Ａ１の下側偏光板３側の面に接着されていればよい。
なお、本実施例においても、上側偏光板１のＣＦ基板２から突出する突出量がＣＦ基板２の端から０．２ｍｍ以上、下側偏光板４のＴＦＴ基板３から突出する突出量がＴＦＴ基板３の端から０．２ｍｍ以上であれば下フレーム１６の突出部１６Ａ１に上側偏光板１及び下側偏光板４を安定して接着固定することができる。
また、本実施例では、ＣＦ基板２からその外側に上側偏光板１を突出させると共にＴＦＴ基板３からその外側に下側偏光板４も突出させ、これら偏光板の突出部分を下フレーム１６の突出部１６Ａ１に接着させた構造について説明したが、前述の実施例１のように、液晶表示パネルＬＣＤの基板（ＣＦ基板２，ＴＦＴ基板３）からその外側に偏光板（上側偏光板１，下側偏光板４）を突出させる構造は上側偏光板１のみとし、下フレーム１６の突出部１６Ａ１に偏光板を固定する構造も上側偏光板１のみとしてもよい。この場合においても、前述の実施例１と同様の効果が得られる。
【００２２】
［実施例４］
図７は、本発明の実施例４である液晶表示装置において、図２のＡ−Ａ’線に沿った断面構造を示す断面図である。
本実施例４の液晶表示装置は、前述の実施例２で説明した構造、即ちＣＦ基板２からその外側に上側偏光板１を突出させる共にＴＦＴ基板３からその外側に下側偏光板４も突出させ、これら偏光板（１，４）の突出部分をモールドフレーム６の突出部６Ａ１に接着させた構造を有し、更に図７に示すように、上側偏光板１及び下側偏光板４の各々に遮光機能を有する遮光層１５が形成された構造を有している。
この遮光層１５は、例えば印刷によって形成されており、上側偏光板１及び下側偏光板４において、液晶表示パネルＬＣＤの表示領域５ａを囲う周辺領域５ｂのうち、ＴＦＴ基板３の非重畳領域３ｍ側の辺１ａ以外の辺の中の少なくとも１つの辺に沿って形成されている。
本実施例４においても、前述の実施例２と同様の効果が得られる。
なお、上側偏光板１及び下側偏光板４の各々に遮光機能を有する遮光層１５が形成された構造は、前述の実施例３で説明した構造、即ち、ＣＦ基板２からその外側に上側偏光板１を突出させると共にＴＦＴ基板３からその外側に下側偏光板４も突出させ、これら偏光板（１，４）の突出部分を下フレーム１６の突出部１６Ａ１に接着させた構造にも適用できる。
また、本実施例４では、上側偏光板１及び下側偏光板４の両方に遮光層１５が形成された構造について説明したが、遮光層１５は、上側偏光板１，下側偏光板４のうち何れか一方の偏光板のみに設けてもよい。
【００２３】
以上説明したように、本実施例によれば、以下の作用・効果を得ることが可能となる。（１）上フレームの開口部周縁付近（液晶表示パネルの表示領域を囲う周辺領域）における光漏れを抑制し、画質向上を図ることが可能となる。
（２）また、偏光板を利用することで、新規に遮光部材の追加が不要であるため、低コストで（１）の効果を奏することが可能である。
（３）また、偏光板を液晶表示パネルの固定に利用することで、（１），（２）の効果と共に、液晶表示装置として機械的強度の向上（基板割れ防止）を図ることが可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２４】
１  上側偏光板
２  第２の基板（ＣＦ基板）
３  第１の基板（ＴＦＴ基板）
４  下側偏光板
５ａ  表示領域
５ｂ  周辺領域
６  モールドフレーム
６Ａ  側壁
６Ａ１  突出部
６Ｂ  収納部
６Ｃ  開口部
９  反射シート
１０  導光板
１１  光学シート群
１５  遮光層
１６  下フレーム
１６Ａ  側壁
１６Ａ１  突出部
１６Ｂ  底面
１６Ｃ  部分
１６Ｄ  開口部
２０  上フレーム
２０Ａ  側壁
２０Ｂ  部分
２０Ｃ  開口部
２１  遮光両面テープ
Ｂ／Ｌ  バックライト
ＬＣＤ  液晶表示パネル
ＬＤ  白色発光ダイオード
【図１】
2013068869.tif 000003
【図２】
2013068869.tif 000004
【図３】
2013068869.tif 000005
【図４】
2013068869.tif 000006
【図５】
2013068869.tif 000007
【図６】
2013068869.tif 000008
【図７】
2013068869.tif 000009
【図８】
2013068869.tif 000010
【図９】
2013068869.tif 000011